(57)【要約】      （修正有）【課題】浸漬型冷却ポンプ構造を提供する。【解決手段】安定性が強化され、耐用寿命が向上される浸漬型冷却ポンプであり、モータセット１０と水フィンセット２０及びステーセット３０が含有され、該モータセットはモータホウジング１１上に頂盤が螺着され、頂盤上にフィン１３が嵌設され、フィン上にモータ蓋１４が設けられ、ネジ１４２によりモータホウジングに螺着固定され、またモータホウジングの底部が固定座の凹槽１５６の上縁に嵌設され、そして固定座の固定孔座１５８に螺着され、該固定座に出水口１５１と軸穴１５２が設けられ、軸穴の両側にそれぞれ引水孔１５３と定位孔１５４が設けられ、該水フィンセットは頂蓋２３と底蓋とからなり、水フィンが収納され、該頂蓋の導入孔２１１の両側にそれぞれ導出孔２１２と固定孔２１３が設けられ、該ステーセットは、二つの等長の導管３１と支持管３２からなる。【選択図】図１
0003130259.tif 000002
【実用新案登録請求の範囲】
【請求項１】
主として、モータホウジングの頂端に、ネジにより頂盤に螺着するための若干のネジ穴が設けられ、頂盤上にフィンが嵌設され、上蓋にモータ蓋が設けられ、該モータ蓋の側辺に貫通穴が設けられ、該モータ蓋が、ネジを螺着することにより、モータホウジングの側辺に位置する平滑部に抵当し、モータホウジングの底部が固定座の凹槽の上縁に嵌設され、また固定座の固定孔座上に螺着され、また固定座の両側に定位突出が形成され、また該固定座の一側に出水口が設けられ、また中間にスピンドルが貫設されるための軸穴が設けられ、また軸穴の両側に、それぞれ引水孔と定位孔が設けられ、該引水孔と出水口との間に、両者を連通する通路が設けられるモータセットと、
頂蓋と水フィン及び底蓋からなり、該頂蓋に、モータセットのスピンドルを貫設するための導入孔があり、該導入孔の両側に、それぞれ導出孔と固定孔が設けられ、また頂蓋に、若干のねじ穴が設けられ、該水フィンの中間に、モータセットのスピンドルが嵌設されて水フィンを回転させるためのベアリング座が設けられ、該底蓋に、水フィンを収納するための凹室が設けられ、また底蓋に、同数のネジにより頂蓋に螺着するための頂蓋に対応するねじ穴が設けられる水フィンセットと、
二つの等長の導管と支持管からなり、該導管の頂端がモータセットの引水孔に嵌入され、底端が水フィンセットの導出孔に嵌入され、該支持管の両端に、それぞれ雌ねじ段が設けられて、それぞれネジにより、モータセットの定位孔と水フィンセットの固定孔に螺着されるステーセットと、
が含有される、ことを特徴とする浸漬型冷却ポンプ構造。
【請求項２】
フィンセットとモータセットとの間にカートリッジろ過器が増設され、
該モータセットの固定座の底部にカートリッジろ過器の頂端が嵌設されるための上環状溝が設けられ、
該水フィンセットの頂蓋の頂面上に若干の引水路が形成され、引水路の回りにカートリッジろ過器の底端が嵌設されるための下環状溝が設けられ、
該カートリッジろ過器が単片で一体成形され、上に複数の濾過孔が設けられることを特徴とする請求項１に記載の浸漬型冷却ポンプ構造。
【請求項３】
フィンセットとモータセットとの間にカートリッジろ過器が増設され、
該モータセットの固定座の底部にカートリッジろ過器の頂端が嵌設されるための上環状溝が設けられ、
該水フィンセットの頂蓋の頂面上にカートリッジろ過器の底端が嵌設されるための下環状溝が設けられ、
該カートリッジろ過器が単片で一体成形され、上に複数の濾過孔が設けられることを特徴とする請求項１に記載の浸漬型冷却ポンプ構造。
【請求項４】
該カートリッジろ過器に三つ以上の支持面が設けられ、該支持面上に濾過孔が設けられないことを特徴とする請求項２や３に記載の浸漬型冷却ポンプ構造。
【請求項５】
該固定座の凹槽の高さが定位突出より高いことを特徴とする請求項１に記載の浸漬型冷却ポンプ構造。
【考案の詳細な説明】
【技術分野】
【０００１】
本考案は、浸漬型冷却ポンプ構造に関し、特に必要に応じて支持セットの長さを変化できるだけでなく、安定性や耐用寿命が向上される浸漬型冷却ポンプに関する。
【背景技術】
【０００２】
浸漬型冷却ポンプ構造は、主としてモータセットと水フィンセットから構成され、該水フィンセットが液体蓄蔵槽内に浸漬され、モータセットと水フィンセットとの両者を連接するための固定ステーが設けられ、モータセットが駆動される時、スピンドルにより、水フィンセットの水フィンが連動されて回転し、これにより水フィンにより、外部の液体を頂蓋の貫通孔から水フィンセット内へ導入し、導入された液体が遠心力により導出孔へ排出され、そのため液体が導管による転送により、モータセットの引水孔へ入り込んで、通路を介して出水口から排出される。
【０００３】
上記の浸漬型冷却ポンプは、固定ステーが、水フィンセットに固定された固定式であるため、その長さを異なる深さを有する液体蓄蔵槽に応じて調整することができず、そのため複数の異なるサイズの浸漬型冷却ポンプを用意しなければならない。
【考案の開示】
【考案が解決しようとする課題】
【０００４】
本考案の主な目的は、必要に応じて支持セットの長さを変化できるだけでなく、導管の反対側に、着脱可能の支持管が設けられ、浸漬型冷却ポンプの作動時の同軸である緊密の安定性が得られ、そして耐用寿命が向上される浸漬型冷却ポンプを提供する。
【０００５】
本考案の他の目的は、該モータセットにおいて、モータホウジングの上に、モータ蓋が螺着され、下に固定座が螺着されることにより、モータ状態を点検しやすい浸漬型冷却ポンプを提供する。
【課題を解決するための手段】
【０００６】
請求項１の考案は、主として、モータホウジングの頂端に、ネジにより頂盤に螺着するための若干のネジ穴が設けられ、頂盤上にフィンが嵌設され、上蓋にモータ蓋が設けられ、該モータ蓋の側辺に貫通穴が設けられ、該モータ蓋がネジを螺着することにより、モータホウジングの側辺に位置する平滑部に抵当し、モータホウジングの底部が固定座の凹槽の上縁に嵌設され、また固定座の固定孔座上に螺着され、また固定座の両側に定位突出が形成され、また該固定座の一側に出水口が設けられ、また中間にスピンドルが貫設されるための軸穴が設けられ、また軸穴の両側に、それぞれ、引水孔と定位孔が設けられ、該引水孔と出水口との間に両者を連通する通路が設けられるモータセットと、頂蓋と水フィン及び底蓋からなり、該頂蓋にモータセットのスピンドルを貫設するための導入孔があり、該導入孔の両側にそれぞれ導出孔と固定孔が設けられ、また頂蓋に若干のねじ穴が設けられ、該水フィンの中間にモータセットのスピンドルが嵌設されて水フィンを回転させるためのベアリング座が設けられ、該底蓋に水フィンを収納するための凹室が設けられ、また底蓋に同数のネジにより頂蓋に螺着するための頂蓋に対応するねじ穴が設けられる水フィンセットと、二つの等長の導管と支持管からなり、該導管の頂端がモータセットの引水孔に嵌入され、底端が水フィンセットの導出孔に嵌入され、該支持管の両端に、それぞれ雌ねじ段が設けられて、それぞれネジにより、モータセットの定位孔と水フィンセットの固定孔に螺着されるステーセットと、が含有されることを特徴とする浸漬型冷却ポンプ構造である。
【０００７】
請求項２の考案は、フィンセットとモータセットとの間に、カートリッジろ過器が増設され、該モータセットの固定座の底部に、カートリッジろ過器の頂端が嵌設されるための上環状溝が設けられ、該水フィンセットの頂蓋の頂面上に、若干の引水路が形成され、引水路の回りにカートリッジろ過器の底端が嵌設されるための下環状溝が設けられ、該カートリッジろ過器が単片で一体成形され、上に複数の濾過孔が設けられることを特徴とする請求項１に記載の浸漬型冷却ポンプ構造である。
【０００８】
請求項３の考案は、フィンセットとモータセットとの間にカートリッジろ過器が増設され、該モータセットの固定座の底部にカートリッジろ過器の頂端が嵌設されるための上環状溝が設けられ、該水フィンセットの頂蓋の頂面上にカートリッジろ過器の底端が嵌設されるための下環状溝が設けられ、該カートリッジろ過器が単片で一体成形され、上に複数の濾過孔が設けられることを特徴とする請求項１に記載の浸漬型冷却ポンプ構造である。
【０００９】
請求項４の考案は、該カートリッジろ過器に、三つ以上の支持面が設けられ、該支持面上に濾過孔が設けられないことを特徴とする請求項２や３に記載の浸漬型冷却ポンプ構造である。
【００１０】
請求項５の考案は、該固定座の凹槽の高さが定位突出より高いことを特徴とする請求項１に記載の浸漬型冷却ポンプ構造である。
【考案を実施するための最良の形態】
【００１１】
本考案は、図１乃至３を参照しながら、主としてモータセット１０と水フィンセット２０及びステーセット３０から構成される。
【００１２】
該モータセット１０は、モータホウジング１１の頂端に、ネジ１１２により頂盤１２に螺着するための若干のネジ穴１１１が設けられ、頂盤１２上にフィン１３が嵌設され、上蓋にモータ蓋１４が設けられ、該モータ蓋１４の側辺に、貫通穴１４１が設けられ、該モータ蓋１４が、ネジ１４２を螺着することにより、モータホウジング１１の側辺に位置する平滑部１１３に抵当し、またモータホウジング１１の底部が、凹槽１５６の上縁に嵌設され、またモータホウジング１１の底端に、ネジ１５９により固定座１５の固定孔座１５８に螺着されるための若干のネジ穴１１４が設けられ、また固定座１５の両側に、定位突出１５７が形成され、凹槽１５６の高さが、定位突出１５７より高く、固定座１５の一側に出水口１５１が設けられ、中間に軸穴１５２が設けられ、また軸穴１５２の両側に、それぞれ、引水孔１５３と定位孔１５４が設けられ、該引水孔１５３と出水口１５１との間に、両者を連通するための通路１５５が設けられる。
【００１３】
該水フィンセット２０は、頂蓋２１と水フィン２２及び底蓋２３からなり、該頂蓋２１に、モータセットのスピンドルｍを貫設するための導入孔２１１があり、該導入孔２１１の両側に、それぞれ導出孔２１２と固定孔２１３が設けられ、また頂蓋２１に、若干のねじ穴２１４が設けられ、該水フィン２２の中間に、モータセットのスピンドルｍが嵌設されて水フィン２２を回転させるためのベアリング座２２１が設けられ、該底蓋２３に、水フィン２２を収納するための凹室２３１が設けられ、底蓋２３に、同数のネジ２３３により頂蓋２１に螺着するための頂蓋２１に対応する雌ねじ段２３２が設けられる。
【００１４】
該ステーセット３０は、二つの等長の導管３１と支持管３２からなり、該導管３１の頂端が、モータセット１０の引水孔１５３に嵌入され、底端が、水フィンセット２０の導出孔２１２に嵌入され、該支持管３２の両端に、それぞれ上雌ねじ３２１と下雌ねじ３２３が設けられ、それぞれネジ３２２により、モータセット１０定位孔１５４と水フィンセット２０の固定孔２１３に螺着される。
【００１５】
上記の構造により、モータセット１０のモータが駆動される時、そのスピンドルｍにより、水フィンセット２０の水フィン２２が連動されて回転し、これにより、水フィン２２により、外部の液体を、頂蓋２１の導入孔２１１から水フィンセット２０内へ導入し、導入された液体が、遠心力により、導出孔２１２へ排出され、そのため液体が、導管３１による転送により、モータセット１０の引水孔１５３へ入り込んで、通路１５５を介して出水口１５１から排出され、そのため、本考案は、必要に応じて導管の長さを変化できるだけでなく、支持管３２により、モータセット１０と水フィンセット２０とが、同軸的に緊密連結されて、より安定的になり、そして導管３１と導出孔２１２との間に隙間がなく、より有効的に液体を転送でき、またモータセット１０上に着脱可能のモータ蓋１４と固定座１５が設けられて、点検をし易くなり、またモータセット１０の固定座１５の凹槽１５６が、定位突出１５７より高いため、液体が凹槽１５６内に侵入することを防止でき、有効にモータが液体に浸漬される問題を解消できる。
【００１６】
本考案は、図４乃至７を参照しながら、濾過効果が得られ、水フィンセット５０とモータセット４０との間、カートリッジろ過器７０を増設し、該モータセット５０や水フィンセット４０及びステーセット６０が、前記の構造とほぼ同じであり、以下その相違点を詳しく説明する。
【００１７】
該モータセット４０は、固定座４１の底部に、カートリッジろ過器７０の頂端が嵌設されるための上環状溝４２（図５のように）が設けられる。
【００１８】
該水フィンセット５０は、頂蓋５１の頂面に、若干の引水路５２が形成され、また、引水路５２の回りに、カートリッジろ過器の底端が嵌設されるための下環状溝５３が形成される。
【００１９】
該カートリッジろ過器７０は、単片で一体成形され、複数の濾過孔７１が設けられ、有効に掬いだし濾過水位を低減でき、また三つ以上の支持面７２が設置され、該支持面上に、濾過孔を設置しなく、これにより、カートリッジろ過器の構造強度が強化され、そして組立ての時間やネジを螺着するためのコストを節約できる。
【００２０】
上記の構造により、該カートリッジろ過器７０により、流れ込んだ液体に対して、濾過の効果が得られるだけでなく、浸漬型冷却ポンプの構造強度も強化される。
【００２１】
図８は、本考案の第３の実施例であり、同じように、カートリッジろ過器を機能し、該フィンセット８０は、頂蓋８１の頂面に、カートリッジろ過器が嵌設されるための下環状溝８２が設けられる。
【図面の簡単な説明】
【００２２】
【図１】本考案の第１の実施例の立体分解図
【図２】本考案の第１の実施例の立体図
【図３】本考案の第１の実施例の組立て断面図
【図４】本考案の第２の実施例の立体分解図
【図５】本考案の第２の実施例の固定座の底面立体図
【図６】本考案の第２の実施例の立体図
【図７】本考案の第２の実施例の組立て断面図
【図８】本考案の第３の実施例の底蓋の概念図
【符号の説明】
【００２３】
１０        モータセット
１１        モータホウジング
１１１      ネジ穴
１１２      ネジ
１１３      平滑部
１１４      ネジ穴
１２        頂盤
１３        フィン
１４        モータ蓋
１４１      貫通穴
１４２      ネジ
１５        固定座
１５１      出水口
１５２      軸穴
１５３      引水孔
１５４      定位孔
１５５      通路
１５６      凹槽
１５７      定位突出
１５８      固定孔座
１５９      ネジ
２０        水フィンセット
２１        頂蓋
２１１      導入孔
２１２      導出孔
２１３      固定孔
２１４      ねじ穴
２２        水フィン
２２１      ベアリング座
２３        底蓋
２３１      凹室
２３２      雌ねじ段
２３３      ネジ
３０        ステーセット
３１        導管
３２        支持管
３２２      ネジ
３２１      上雌ねじ
３２３      下雌ねじ
４０        モータセット
４１        固定座
４２        上環状溝
５０        水フィンセット
５１        頂蓋
５２        引水路
５３        下環状溝
６０        支持セット
７０        カートリッジろ過器
７１        濾過孔
７２        支持面
８０        水フィンセット
８１        頂蓋
８２        下環状溝
ｍ          スピンドル
【図１】
0003130259.tif 000003
【図２】
0003130259.tif 000004
【図３】
0003130259.tif 000005
【図４】
0003130259.tif 000006
【図５】
0003130259.tif 000007
【図６】
0003130259.tif 000008
【図７】
0003130259.tif 000009
【図８】
0003130259.tif 000010